(57)【要約】【課題】  表面に沿って横方向に延びたハンギング溝を上下に所定間隔毎に複数形成した間仕切パネルを、互いに直角に連結して構築した間仕切装置のコーナー部において、配線コードを上下方向に配線できる配線機能を簡単に後施工で設けることが可能な間仕切装置における配線ダクト装置を提供する。【解決手段】  隣接する２枚の間仕切パネル１によって形成されるコーナー部１７であって、各間仕切パネルの同一高さのハンギング溝１６に係止する複数対のコードホルダー６と、対となったコードホルダーに同時に係合するコードカバー７とからなり、コードホルダーは、少なくともハンギング溝に係止する係止部１８と、配線コードの保持部１９と、コードカバーを係合する係合部２０とを備えた。各コードホルダーは、同一形状の部材であり、対となったコードホルダーは互いに上下反転させて使用する。【選択図】        図５
2010229619.tif 000002
【特許請求の範囲】
【請求項１】
表面に沿って横方向に延びたハンギング溝を上下に所定間隔毎に複数形成した間仕切パネルを、互いに直角に連結して構築した間仕切装置において、隣接する２枚の間仕切パネルによって形成されるコーナー部であって、各間仕切パネルの同一高さのハンギング溝に係止する複数対のコードホルダーと、対となったコードホルダーに同時に係合するコードカバーとからなり、前記コードホルダーは、少なくとも前記ハンギング溝に係止する係止部と、配線コードの保持部と、前記コードカバーを係合する係合部とを備えたことを特徴とする間仕切装置における配線ダクト装置。
【請求項２】
前記コードホルダーは、前記間仕切パネルの表面に当接する基板を有するとともに、該基板の一端部から該基板に対して４５度の角度で延びた保持板を有し、前記基板の裏面に前記ハンギング溝に係止する係止部を突設したものであり、各コードホルダーの係止部を前記ハンギング溝に係止し、対となった両コードホルダーの保持板同士を重合させて前記コーナー部に位置させた状態で前記コードカバーを各コードホルダーの係合部に同時に係合してなる請求項１記載の間仕切装置における配線ダクト装置。
【請求項３】
前記コードホルダーの係止部は、前記ハンギング溝にパネル面外方向から挿入可能で且つ９０度回転して抜止め係合する構造であり、対となったコードホルダーの保持板同士が重合した状態で、一方のコードホルダーの保持板の下部から突設した突片と他方のコードホルダーの保持板の上部から突設した突片とが互いに上下に当接するとともに、他方のコードホルダーの端部に嵌合してなる請求項２記載の間仕切装置における配線ダクト装置。
【請求項４】
前記コードホルダーの保持板と前記基板の表面中間部に突設した弾性片とで前記保持部を形成するとともに、該弾性片と前記基板の表面端部に突設した端片とで前記係合部を形成し、前記コードカバーの裏面両側部に沿って突設した脚片を前記係合部に係合してなる請求項２又は３記載の間仕切装置における配線ダクト装置。
【請求項５】
各コードホルダーは、同一形状の部材であり、対となったコードホルダーは互いに上下反転させて使用する請求項１〜４何れかに記載の間仕切装置における配線ダクト装置。
【発明の詳細な説明】
【技術分野】
【０００１】
本発明は、間仕切装置における配線ダクト装置に係わり、更に詳しくは間仕切パネルを連結して構築した間仕切装置のコーナー部に設ける配線ダクト装置に関するものである。
【背景技術】
【０００２】
従来から、複数の間仕切パネルを連結して構築した間仕切装置において、間仕切パネルの内部や、笠木、巾木あるいは側部カバーの内部に配線コードを通し、また保持するための構造を付与したものは各種提供されている。また、間仕切パネルの外部に配線ダクトを付設したり、コードクリップを装着してコードを保持できるようにしたものも提供されている。
【０００３】
例えば、特許文献１には、隣接するパネル間に所定間隔の目地部を設け、該目地部に臨む支柱の側面に角孔を形成してなる間仕切パネルに装着するコードクリップが開示されている。この間仕切パネル装着用のコードクリップは、二つのヒンジを介して平板部分と両側の側板部分とを平面的に一体成形し、該ヒンジで折曲して平板と両側板とでコードを抱持し且つ前記目地部に一部又は前部が内装し得る略三角形状のリング部を形成可能となすとともに、両側板の先端部を前記支柱の角孔に挿入し得る取付片となし、その外側には前記角孔の口縁部内面に係合する適数のもどり止めを突設し、コードを目地部に内装した状態で取付けるものである。
【０００４】
しかし、特許文献１に記載のものは、間仕切パネルの縦方向の目地部と支柱の角孔を利用して、コードクリップでコードを上下方向に保持することができるものの、コードの殆どが露出し、見苦しさは否定できない。また、このコードクリップを用いたコードの配線の仕方は、目地部と該目地部に露出した支柱の側面に形成した角孔の存在が前提となっており、これらが存在しない場合には実施不可能である。
【０００５】
左右の間仕切パネルを連結するための支柱と、左右パネル間の目地部と、該目地部に露出する支柱の角孔を利用して棚板等を支持するブラケットを係止する構造を備えた間仕切装置が従来は主流であった。本出願人は、支柱を介さずに左右上下の単位パネルを直接連結することで縦目地部が無く、所望の高さに単位パネルを積上げて構成する新しい概念の間仕切装置を提案している。前記単位パネルは上方に複数積上げて連結することにより、外観的には一枚の間仕切パネルを構成し、個々の単位パネルが左右に互いに連結していることにより、所定高さの間仕切パネルが左右に連結されているような外観になる。そして、上下の単位パネル間にはハンギング溝が形成されることにより、間仕切パネルとして横方向に延びたハンギング溝が上下に所定間隔毎に複数形成されていることになる。尚、単位パネルはコーナーポストを介して平面視Ｌ字状、Ｔ字状、十文字状に連結されて従来と同様な形態の間仕切装置を構成するのである。
【先行技術文献】
【特許文献】
【０００６】
【特許文献１】実公平０５−１１０２号公報
【発明の概要】
【発明が解決しようとする課題】
【０００７】
しかし、表面に沿って横方向に延びたハンギング溝を上下に所定間隔毎に複数形成した間仕切パネルを、互いに直角に連結して構築した間仕切装置において、配線コードを上下方向に配線できる配線ダクトは提供されてなかった。そこで、本発明が前述の状況に鑑み、解決しようとするところは、表面に沿って横方向に延びたハンギング溝を上下に所定間隔毎に複数形成した間仕切パネルを、互いに直角に連結して構築した間仕切装置のコーナー部において、配線コードを上下方向に配線できる配線機能を簡単に後施工で設けることが可能な間仕切装置における配線ダクト装置を提供する点にある。
【課題を解決するための手段】
【０００８】
本発明は、前述の課題解決のために、表面に沿って横方向に延びたハンギング溝を上下に所定間隔毎に複数形成した間仕切パネルを、互いに直角に連結して構築した間仕切装置において、隣接する２枚の間仕切パネルによって形成されるコーナー部であって、各間仕切パネルの同一高さのハンギング溝に係止する複数対のコードホルダーと、対となったコードホルダーに同時に係合するコードカバーとからなり、前記コードホルダーは、少なくとも前記ハンギング溝に係止する係止部と、配線コードの保持部と、前記コードカバーを係合する係合部とを備えたことを特徴とする間仕切装置における配線ダクト装置を構成した（請求項１）。
【０００９】
ここで、前記コードホルダーは、前記間仕切パネルの表面に当接する基板を有するとともに、該基板の一端部から該基板に対して４５度の角度で延びた保持板を有し、前記基板の裏面に前記ハンギング溝に係止する係止部を突設したものであり、各コードホルダーの係止部を前記ハンギング溝に係止し、対となった両コードホルダーの保持板同士を重合させて前記コーナー部に位置させた状態で前記コードカバーを各コードホルダーの係合部に同時に係合してなることが好ましい（請求項２）。
【００１０】
更に、前記コードホルダーの係止部は、前記ハンギング溝にパネル面外方向から挿入可能で且つ９０度回転して抜止め係合する構造であり、対となったコードホルダーの保持板同士が重合した状態で、一方のコードホルダーの保持板の下部から突設した突片と他方のコードホルダーの保持板の上部から突設した突片とが互いに上下に当接するとともに、他方のコードホルダーの端部に嵌合してなることがより好ましい（請求項３）。
【００１１】
また、前記コードホルダーの保持板と前記基板の表面中間部に突設した弾性片とで前記保持部を形成するとともに、該弾性片と前記基板の表面端部に突設した端片とで前記係合部を形成し、前記コードカバーの裏面両側部に沿って突設した脚片を前記係合部に係合してなることが好ましい（請求項４）。
【００１２】
そして、各コードホルダーは、同一形状の部材であり、対となったコードホルダーは互いに上下反転させて使用することがより好ましい（請求項５）。
【発明の効果】
【００１３】
以上にしてなる請求項１に係る発明の間仕切装置における配線ダクト装置は、コードホルダーの係止部を、間仕切装置のコーナー部の両側に位置する直交した各間仕切パネルの同一高さのハンギング溝にそれぞれ係止するとともに、対となった各コードホルダーの係合部にコードカバーを同時に係合することにより、上下方向の配線ダクトを形成することができるとともに、コードホルダー及びコードカバーを安定に保持することができる。そして、前記コードホルダーの保持部に配線コードを保持して、間仕切装置のコーナー部に沿って上下方向に配線することができるとともに、前記コードカバーで配線コードを隠蔽するので、外観性を損なうことがないのである。また、同一高さに一対のコードホルダーを有するので、配線コードの保持部も一対存在し、電源線等の強電と信号線等の弱電を分離配線することや、系統毎に分けて配線することができる。また、その配線作業も、コードカバーを装着する前に、各コードホルダーの保持部に配線コードを保持させた後、コードカバーを装着するので、簡単である。
【００１４】
請求項２によれば、両コードホルダーは基板が間仕切パネルの表面に当接し且つ保持板同士が重合することにより、ガタつきなく保持することができる。
【００１５】
請求項３によれば、コードホルダーの係止部を間仕切パネルのハンギング溝にパネル面外方向から挿入し、９０度回転して抜止め係合する構造であるので、ハンギング溝が長くなってもコーナー部の近くで簡単に装着することができ、また９０度回転して抜止め係合した状態では、ハンギング溝からの脱落を完全に防止することができ、しかも保持板同士が重合するとともに、両突片が互いに上下に当接するとともに、他のコードホルダーの端部に嵌合するので、両コードホルダーが強固に絡み合って一体化し、コードホルダーがハンギング溝に沿って移動しなくなるのである。
【００１６】
請求項４によれば、コードホルダーの保持板と基板の表面中間部に突設した弾性片とで形成した保持部に、配線コードを保持することができるとともに、弾性片と基板の表面端部に突設した端片とで係合部を形成し、コードカバーの裏面両側部に沿って突設した脚片を前記係合部に弾性的に係合するので、コードカバーにコードホルダーに係止するための切り欠き等を設ける必要がなく、コードカバーを押出し型材で構成でき、間仕切パネルの高さ等に応じて所望の長さにすることが用意である。
【００１７】
請求項５によれば、各コードホルダーは、同一形状の部材であり、対となったコードホルダーは互いに上下反転させて使用するので、部品点数が少なくなり、コスト低減化を図ることができるばかりでなく、コーナー部の両側の間仕切パネルに誤って反対側のコードホルダーを装着することもなくなるのである。
【図面の簡単な説明】
【００１８】
【図１】複数の単位パネルを上下左右に連結して平面視Ｔ字状の間仕切装置を構築した状態の斜視図である。
【図２】複数の単位パネルを上下左右に直線状に連結した状態の部分斜視図である。
【図３】間仕切装置におけるハンギング溝の構造を示す部分断面図である。
【図４】コードホルダーの斜視図である。
【図５】間仕切装置のコーナー部にコードホルダーとコードカバーを装着して配線ダクトを形成する手順を示し、（ａ）はコードホルダーを装着する前の状態を示す部分斜視図、（ｂ）は各コードホルダーをハンギング溝に装着してコーナー部に寄せて配置する状態の部分斜視図、（ｃ）は一対のコードホルダーにコードカバーを装着する状態を示す部分斜視図である。
【図６】（ａ）は間仕切装置のコーナー部に寄せて装着した一対のコードホルダーにコードカバーを装着する状態を示す部分平面図、（ｂ）はコードホルダーにコードカバーを装着して配線ダクトを形成した状態の部分平面図である。
【図７】コードホルダーを示し、（ａ）は平面図、（ｂ）は（ａ）のＸ−Ｘ線拡大断面図である。
【図８】コードカバーの部分分解斜視図である。
【図９】間仕切装置のコーナー部に形成した配線ダクトの斜視図である。
【図１０】間仕切装置に連結して設置した配線機能を備えたキャビネットを示す部分斜視図である。
【図１１】同じく間仕切装置にキャビネット本体を連結する構造を示す分解斜視図である。
【図１２】間仕切装置に連結したキャビネット本体に側板と天板を取付ける様子を示す分解斜視図である。
【図１３】キャビネットの天板後縁に沿って設けた横配線ダクトを示す簡略縦断面図である。
【図１４】同じく横配線ダクトの分解斜視図である。
【発明を実施するための形態】
【００１９】
次に、添付図面に示した実施形態に基づき、本発明を更に詳細に説明する。図１〜図３は本発明に係る間仕切装置の実施形態を示し、図４〜図９は本発明に係る配線ダクト装置を示し、図中符号１は間仕切パネル、２は単位パネル、３はコーナーポスト、４はエンドポスト、５は配線ダクト装置、６はコードホルダー、７はコードカバーをそれぞれ示している。本発明では、複数の単位パネル２，…を上下方向に連結して構成した部分を間仕切パネル１としているが、間仕切パネル１は最初から一枚ものであっても構わない。
【００２０】
本実施形態では、アルミ押出し型材からなる複数の単位パネル２，…を図示しない下連結具、上連結具及び締結具とからなる連結手段にて上下に連結して所望の高さの間仕切パネル１を構成するとともに、同じ連結手段を用いて単位パネル２，２同士を左右に連結し、更にコーナーポスト３やエンドポスト４を連結して間仕切装置を構成する。
【００２１】
先ず、図１〜図３に示すように、前記単位パネル２は、表面板８と裏面板９とが下嵌合部１０と上嵌合部１１及び単又は複数の連結部１２，…で連結された中空形状であり、下段の単位パネル２の上嵌合部１１に上段の単位パネル２の下嵌合部１０を嵌合した状態で、連結手段で上下左右に連結するのである。更に、前記単位パネル２の表面板８と裏面板９の上下縁に沿って係止縁１３，１４を形成し、上下に位置する単位パネル２，２の係止縁１３，１４を対向させ且つその間に開口部１５を設けて上下の単位パネル間に沿ってハンギング溝１６を形成するようになっている。尚、前記ハンギング溝１６は、前記係止縁１３，１４の他に前記下嵌合部１０と上嵌合部１１の一部も使用して構成され、上下の単位パネル２，２の接合線が該ハンギング溝１６の開口部１５の上縁に一致するように設定し、接合線が見立たないようにしている。前記ハンギング溝１６の断面形状は、略上下対称な形状となっており、前記開口部１５の上下に空間部を有している。
【００２２】
図１に示すように、前記間仕切パネル１には上下に一定間隔毎に横方向に延びたハンギング溝１６，…を有している。そして、前記間仕切パネル１，…を前記コーナーポスト３で直角に連結して間仕切装置を構成している。そして、直角に連結された隣接する２枚の間仕切パネル１，１によってコーナー部１７が形成される。前記コーナー部１７の両側のハンギング溝１６，…同じ高さになっている。
【００２３】
そして、本発明は、図４〜図９に示すように、各間仕切パネル１，１の同一高さのハンギング溝１６，１６に係止する複数対のコードホルダー６と、対となったコードホルダー６，６に同時に係合するコードカバー７とからなり、前記コードホルダー６は、少なくとも前記ハンギング溝１６に係止する係止部１８と、配線コードの保持部１９と、前記コードカバー７を係合する係合部２０とを備えている。
【００２４】
更に詳しくは、前記コードホルダー６は、前記間仕切パネル１の表面に当接する基板２１を有するとともに、該基板２１の一端部から該基板２１に対して４５度の角度で延びた保持板２２を有し、前記基板２１の裏面に前記ハンギング溝１６に係止する係止部１８を突設したものである。そして、各コードホルダー６の係止部１８を前記ハンギング溝１６に係止し、対となった両コードホルダー６，６の保持板２２，２２同士を重合させて前記コーナー部１７に位置させた状態で前記コードカバー７を各コードホルダー６，６の係合部２０，２０に同時に係合するのである。
【００２５】
更に、図７に示すように、前記コードホルダー６の係止部１８は、前記ハンギング溝１６にパネル面外方向から挿入可能で且つ９０度回転して抜止め係合する構造である。つまり、前記コードホルダー６の基板２１の裏面に、首部２３を介して長方形状の係止板２４を突設し、前記首部２３は、断面形状が前記ハンギング溝１６の開口部１５の開口幅より若干小さい正方形の一対の対角位置にある角部を４５度にカットした形状となっている。このカット部２５は、前記ハンギング溝１６の開口部１５の挿入した後、９０度回転できるようにするために設けている。また、前記係止部１８の係止板２４は、短辺の幅が前記ハンギング溝１６の開口部１５の開口幅より若干小さく、長辺の幅は前記ハンギング溝１６の内部空間の上下寸法より若干小さく設定したものである。
【００２６】
そして、前記係止板２４の長辺を前記ハンギング溝１６に沿わせて開口部１５に挿入し、コードホルダー６を９０度回転させて、該係止板２４の上下端部を上下係止縁１３，１４の裏側に係止して装着する。この状態で、前記コードホルダー６は、ハンギング溝１６に沿ってスライド可能としている。
【００２７】
また、前記コードホルダー６の保持板２２と前記基板２１の表面中間部に突設した弾性片２６とで前記保持部１９を形成するとともに、該弾性片２６と前記基板２１の表面端部に突設した端片２７とで前記係合部２０を形成し、前記コードカバー７の裏面両側部に沿って突設した脚片２８，２８を前記係合部２０に弾性的に係合できるようになっている。また、前記コードホルダー６の保持板２２の上下半分の位置に突片２９を突設している。対となったコードホルダー６，６の保持板２２，２２同士が重合した状態で、一方のコードホルダー６の保持板２２の下部から突設した突片２９と他方のコードホルダー６の保持板２２の上部から突設した突片２９とが互いに上下に当接するとともに、他方のコードホルダー６の端部に嵌合するようになっている。ここで、コーナー部１７の両側のハンギング溝１６，１６に装着する各コードホルダー６，６は、同一形状の部材であり、対となったコードホルダー６，６は互いに上下反転させて使用するのである。
【００２８】
更に、前記コードホルダー６の突片２９と他のコードホルダー６の端部との嵌合構造について説明する。図６に示すように、前記突片２９の先端部には僅かに突出した爪部２９Ａを有する一方、コードホルダー６の端部には該爪部２９Ａを受け入れる凹段部２９Ｂを形成してあり、各コードホルダー６の係止部１８をハンギング溝１６に係合し、互いに接近するようにコーナー部１７に移動させると、各コードホルダー６の突片２９，２９は相手のコードホルダー６の端部に当接するようになり、最終的に前記保持板２２，２２同士が重合した瞬間に、前記爪部２９Ａが凹段部２９Ｂに嵌合して逆戻りすることを防止することができる。従って、各コードホルダー６の保持部１９に配線コード３１を装着する際に、不意にコードホルダー６が移動することがないのである。
【００２９】
前記保持板２２は、先端部が内向きに屈曲して抱持部３０を形成し、前記弾性片２６とで形成した保持部１９に配線コード３１を保持した状態で、該配線コード３１がコードカバー７の裏面に直接当らないようにしている。
【００３０】
前記コードカバー７は、図８に示すように、アルミ押出し型材で形成し、表面側にやや湾曲した化粧板３２の裏面側の両側に、前記係合部２０に係合する前記脚片２８，２８を形成した構造である。前記脚片２８には、前記弾性片２６の先端部外側に形成した突部３３に係止する爪部３４を形成するとともに、中央部に断面Ｃ字形の下穴３５を形成している。そして、前記コードカバー７の切断端部には、該端面を覆うように、カバー板３６を配置し、該カバー板３６に開口した通孔３７，３７に通したネジ３８，３８を前記下穴３５，３５に螺合して取付けている。前記カバー板３６は、前記化粧板３２と脚片２８，２８の端部を覆うが、両脚片２８，２８の間は前記配線コード３１を引き出せるように切欠部３９となっている。
【００３１】
間仕切装置のコーナー部１７に本発明の配線ダクト装置５を設けるには、図５に示すように、先ずコーナー部１７を挟んで同じ高さ位置のハンギング溝１６，１６に、それぞれコードホルダー６，６の係止部１８を挿入し（図５（ａ）参照）、互いの保持板２２，２２同士が対面するように９０９度回転させ（図５（ｂ）参照）、そして互いのコードホルダー６，６をハンギング溝１６に沿ってスライドさせてコーナー部１７に寄せ、互いの保持板２２，２２同士を重合するとともに、一方のコードホルダー６の保持板２２の下部から突設した突片２９と他方のコードホルダー６の保持板２２の上部から突設した突片２９とが互いに上下に当接させるとともに、他方の端部に当接させる（図５（ｃ）参照）。この対となったコードホルダー６，６を、所定高さに複数対装着した後、前記コードカバー７の両脚片２８，２８を各コードホルダー６，６の係合部２０，２０に抜止め状態で弾性的に係合する。尚、前記コードカバー７を装着する前に、各コードホルダー６，６の保持部１９，１９を利用して上下方向に配線コード３１を保持して配線する。
【００３２】
次に、図１０〜図１４に基づいて、前述の間仕切装置に配線機能付きのキャビネット４０を連結するとともに、横ダクト装置４１を該キャビネット４０の天板４２の上面後縁と間仕切パネル１の表面とが作る水平方向のコーナー部４３に設けたものである。先ず、前記キャビネット４０は通常の箱型で、それ自体はどのような構造でも良い。前記キャビネット４０の上面板４４の上面には後方へ突出状態で前記天板４２を取付け、側面板４５の外側面に後方へ突出状態で側板４６を取付けるようになっている。前記キャビネット４０の背面を、前記間仕切パネル１のハンギング溝１６に左右に間隔を置いて係止した連結金具４７，４７の前端にネジ止めし、それから上面板４４に天板４２をネジ止めするとともに、側面板４５に側板４６をネジ止めし、該キャビネット４０の背面と天板４２と側板４６の後部とで囲まれた配線空間４８を形成する。また、前記天板４２の後縁部で両側部を除いて切欠部４９を形成し、前記配線空間４８に連通するようにしている。
【００３３】
そして、前記天板４２の切欠部４９の後縁から裏面に延びた固定金具５０を取付け、該固定金具５０の４５度に傾斜した取付板５１に、前記コードカバー７を水平に向けて両脚片２８，２８の間に嵌合し、化粧板３２を貫通させたネジを前記取付板５１に螺合して前記コーナー部４３に保持する。前記コードカバー７の化粧板３２には適宜開口５２を形成し、前記取付板５１に取付けたコンセント端子５３を正面に出現させている。尚、コンセント端子５３に接続した配線コード（図示せず）は、前記コードカバー７の背面に配設し、適宜前記切欠部４９から下方の配線空間４８に配線する。
【００３４】
また、前記コードカバー７の両端部には、前記同様なカバー板５４を取付けて、両端部を塞いでいるが、前記切欠部３９を有するカバー板３６を取付けて横方向に配線コードを引き出すことも可能である。これは、複数のキャビネット４０，…を横方向に連結して設置する場合に有効であり、また前述の上下方向の配線ダクト装置５に渡って配線する場合にも有効である。
【符号の説明】
【００３５】
１  間仕切パネル、      ２  単位パネル、
３  コーナーポスト、    ４  エンドポスト、
５  配線ダクト装置、    ６  コードホルダー、
７  コードカバー、      ８  表面板、
９  裏面板、            １０  下嵌合部、
１１  上嵌合部、        １２  連結部、
１３  係止縁、          １４  係止縁、
１５  開口部、          １６  ハンギング溝、
１７  コーナー部、      １８  係止部、
１９  保持部、          ２０  係合部、
２１  基板、            ２２  保持板、
２３  首部、            ２４  係止板、
２５  カット部、        ２６  弾性片、
２７  端片、            ２８  脚片、
２９  突片、            ３０  抱持部、
３１  配線コード、      ３２  化粧板、
３３  突部、            ３４  爪部、
３５  下穴、            ３６  カバー板、
３７  通孔、            ３８  ネジ、
３９  切欠部、          ４０  キャビネット、
４１  横ダクト装置、    ４２  天板、
４３  コーナー部、      ４４  上面板、
４５  側面板、          ４６  側板、
４７  連結金具、        ４８  配線空間、
４９  切欠部、          ５０  固定金具、
５１  取付板、          ５２  開口、
５３  コンセント端子、  ５４  カバー板。
【図１】
2010229619.tif 000003
【図２】
2010229619.tif 000004
【図３】
2010229619.tif 000005
【図４】
2010229619.tif 000006
【図５】
2010229619.tif 000007
【図６】
2010229619.tif 000008
【図７】
2010229619.tif 000009
【図８】
2010229619.tif 000010
【図９】
2010229619.tif 000011
【図１０】
2010229619.tif 000012
【図１１】
2010229619.tif 000013
【図１２】
2010229619.tif 000014
【図１３】
2010229619.tif 000015
【図１４】
2010229619.tif 000016